(57)【特許請求の範囲】
【請求項１】
画面を複数のウインドウに分割して表示する表示手段と、外部から複数種の画像情報および外部から複数種の警報情報を入力して上記複数種の画像情報を上記表示手段に表示する制御手段とを備えた監視表示システムにおいて、
上記表示手段の分割されたウインドウ毎に上記複数種の画像情報の何れを上記ウインドウに表示するかの情報と、上記複数種の画像情報が上記複数種の警報情報の何れに関連しているかの情報と、上記画像情報を拡大表示するための拡大倍率を設定する情報とを有する画面情報データベースを備え、
上記制御手段は、上記画面情報データベースの情報から上記複数種の画像情報を上記表示手段の所定ウインドウに表示するとともに上記警報情報を入力すると当該警報情報に関連している画像情報を上記拡大倍率にて上書き拡大表示し、
上記画面情報データベースは、上記ウインドウ毎に拡大表示が実施されているか否かの情報を有し、
上記制御手段は、上記警報情報に関連している画像情報を上記拡大倍率にて拡大表示する各ウインドウに上記拡大表示が実施されているか否かを判断して、
上記拡大表示が実施されていない場合には上記警報情報に関連している画像情報を上記拡大倍率にて拡大表示し当該拡大表示されているウインドウに当該拡大表示が実施されているという情報を上記画面情報データベースの情報に付加し、
上記拡大表示が実施されている場合には上記複数種の画像情報を上記表示手段の所定ウインドウに再表示し上記警報情報に関連している画像情報を上記拡大倍率にて拡大表示し当該拡大表示されているウインドウに当該拡大表示が実施されているという情報を上記画面情報データベースの情報に付加することを特徴とする監視表示システム。
【請求項２】
上記画面情報データベースは、上記表示手段に表示されている拡大表示をリセットするリセット時間の情報を有し、
上記制御手段は、上記拡大表示を行った後に上記リセット時間が経過すると上記複数種の画像情報を上記表示手段の所定ウインドウに表示することを特徴とする請求項１に記載の監視表示システム。
【発明の詳細な説明】
【技術分野】
【０００１】
この発明は、警報発生時に警報信号に関連付けされた画像情報を表示手段に拡大表示する監視表示システムに関するものである。
【背景技術】
【０００２】
従来の監視システムは、複数の監視カメラから送られてくる画像ストリームのデータサイズに応じて、マルチ表示の画面構成を変更していた（例えば、特許文献１参照）。
【０００３】
【特許文献１】特開２００３−９１３０号公報
【発明の開示】
【発明が解決しようとする課題】
【０００４】
従来の監視システムは上記のように構成されているので、警報発生時に関連付けされた画面を拡大表示するには、作業者が映像ストリームのデータサイズを大きく再設定しなければならず、ウインドウ監視が煩わしいという問題点があった。
【０００５】
この発明は上記のような課題を解決するためになされたものであり、警報発生時に関連付けされた画像情報を自動的に拡大して表示する監視表示システムを提供することを目的とする。
【課題を解決するための手段】
【０００６】
この発明は、画面を複数のウインドウに分割して表示する表示手段と、外部から複数種の画像情報および外部から複数種の警報情報を入力して複数種の画像情報を表示手段に表示する制御手段とを備えた監視表示システムにおいて、
表示手段の分割されたウインドウ毎に複数種の画像情報の何れをウインドウに表示するかの情報と、複数種の画像情報が複数種の警報情報の何れに関連しているかの情報と、画像情報を拡大表示するための拡大倍率を設定する情報とを有する画面情報データベースを備え、
制御手段は、画面情報データベースの情報から複数種の画像情報を表示手段の所定ウインドウに表示するとともに警報情報を入力すると当該警報情報に関連している画像情報を拡大倍率にて上書き拡大表示し、
上記画面情報データベースは、上記ウインドウ毎に拡大表示が実施されているか否かの情報を有し、
上記制御手段は、上記警報情報に関連している画像情報を上記拡大倍率にて拡大表示する各ウインドウに上記拡大表示が実施されているか否かを判断して、
上記拡大表示が実施されていない場合には上記警報情報に関連している画像情報を上記拡大倍率にて拡大表示し当該拡大表示されているウインドウに当該拡大表示が実施されているという情報を上記画面情報データベースの情報に付加し、
上記拡大表示が実施されている場合には上記複数種の画像情報を上記表示手段の所定ウインドウに再表示し上記警報情報に関連している画像情報を上記拡大倍率にて拡大表示し当該拡大表示されているウインドウに当該拡大表示が実施されているという情報を上記画面情報データベースの情報に付加するものである。
【発明の効果】
【０００７】
この発明の監視表示システムは、画面を複数のウインドウに分割して表示する表示手段と、外部から複数種の画像情報および外部から複数種の警報情報を入力して複数種の画像情報を表示手段に表示する制御手段とを備えた監視表示システムにおいて、
表示手段の分割されたウインドウ毎に複数種の画像情報の何れをウインドウに表示するかの情報と、複数種の画像情報が複数種の警報情報の何れに関連しているかの情報と、画像情報を拡大表示するための拡大倍率を設定する情報とを有する画面情報データベースを備え、
制御手段は、画面情報データベースの情報から複数種の画像情報を表示手段の所定ウインドウに表示するとともに警報情報を入力すると当該警報情報に関連している画像情報を拡大倍率にて上書き拡大表示し、
上記画面情報データベースは、上記ウインドウ毎に拡大表示が実施されているか否かの情報を有し、
上記制御手段は、上記警報情報に関連している画像情報を上記拡大倍率にて拡大表示する各ウインドウに上記拡大表示が実施されているか否かを判断して、
上記拡大表示が実施されていない場合には上記警報情報に関連している画像情報を上記拡大倍率にて拡大表示し当該拡大表示されているウインドウに当該拡大表示が実施されているという情報を上記画面情報データベースの情報に付加し、
上記拡大表示が実施されている場合には上記複数種の画像情報を上記表示手段の所定ウインドウに再表示し上記警報情報に関連している画像情報を上記拡大倍率にて拡大表示し当該拡大表示されているウインドウに当該拡大表示が実施されているという情報を上記画面情報データベースの情報に付加するので、警報発生時に関連付けされた画像情報を自動的に拡大して表示するためユーザの視認性を向上する。
【発明を実施するための最良の形態】
【０００８】
実施の形態１．
以下、本願発明の実施の形態について説明する。図１はこの発明の実施の形態１における監視表示システムの構成を示すブロック図、図２は図１に示した監視表示システムの画面情報データベースの内容を説明するための図、図３は図１に示した監視表示システムの動作を説明するためのフローチャートである。尚、図２においてはｘ＝２、ｙ＝２以上の存在も示しているが、本実施の形態１においては説明の便宜上ｘ＝２、ｙ＝２間での場合にて説明する。図１において、監視表示システムは制御手段２０と画面情報データベース（図においては、画面情報ＤＢと略して示す場合もある）３０と表示手段４０とを備えている。表示手段４０は画面５０を複数のウインドウ１〜９に分割して表示することができるものである。尚、ここでは説明の便宜上、表示手段４０の画面５０をウインドウ１〜９の９個に分割している例を示しているがこれに限られるものではない。制御手段２０は、外部から例えば複数のカメラなどにて撮影された映像情報にて成る複数種の画像情報および外部から例えば複数の警報検出センサなどにて検出された検出信号にて成る複数種の警報信号を入力して、画面情報データベース３０に基づいて判断して複数種の画像情報を表示手段４０の所定ウインドウに表示したり、警報信号に関連付けられた画像情報を表示手段４０に拡大表示したりする。
【０００９】
そして、画面情報データベース３０は、例えば、図２に示すように構成されている。表示手段４０の画面５０のウインドウの数のｘ軸方向の画面分割数ｍとｙ軸方向の画面分割数ｎとの画面分割データＤ１と、拡大表示するための拡大する倍率ｚが設定されている倍率データＤ２と、画面におけるｘ軸方向にｘ０〜ｘｍ、ｙ軸方向にｙ０〜ｙｎ分の、それぞれの表示座標（ｘ、ｙ）毎に複数種の画像情報の画像の番号（以下、画像番号と略して示す）ｐｉｃと、画像番号ｐｉｃに対応する複数種の警報情報の番号（以下、警報番号と略して示す）ｓｉｇとがそれぞれ登録されている表示データＤ３とを有する。ここでは、画像番号ｐｉｃにはＡ〜Ｉおよび警報番号ｓｉｇにはａ〜ｉの種別が存在し、それぞれが割り付けられているものである。尚、ここでは表示データＤ３において、ウインドウ１〜９の全てに、画像番号ｐｉｃおよび警報番号ｓｉｇのいずれもが割り付けられている例を示しているが、どちらも割り付けられいないウインドウが存在する場合、また、画像番号ｐｉｃのみが割り付けられ警報番号ｓｉｇが割り付けられていないウインドウが存在する場合があっても良い。
【００１０】
次に上記のように構成された実施の形態１における監視表示システムの動作について図３を交えて説明する。まず、警報信号が入力される前には、制御手段２０は表示手段４０のウインドウ１〜９に画面情報データベース３０の表示データＤ３に基づいて、ウインドウ１には画像番号Ｄが、ウインドウ２には画像番号Ｆがという具合に各ウインドウ１〜９にそれぞれの画像情報を表示させる（図１の画面５０の状態に表示されている。）。但し、この処理が実施されず、画面表示が何も行われていない状態でもよいことは言うまでもない。次に、監視表示システムが稼動すると、制御手段２０は警報が発生しているか（入力されるか）否かを判断する（図３のステップＳ１）。そして、警報が発生しないと判断されると、再び図３のステップＳ１に戻る。そして、警報が発生していると判断されると、次に制御手段２０はその警報番号ｓｉｇに対応する画像番号ｐｉｃの表示座標（ｘ、ｙ）の表示データＤ３、倍率ｚの倍率データＤ２、画面分割（ｍ、ｎ）の画面分割データＤ１を画面情報データベース３０からを取り込む（図３のステップＳ２）。具体的には、警報番号ｄが入力されたとすると、画像番号Ｄの表示座標（０、０）、倍率２倍、画面分割（２、２）というデータが入力されることとなる。
【００１１】
次に、表示座標（０、０）を、倍率ｚ、ここでは２倍でプラス方向に拡大する場合の終端表示座標ｘｔｅｍｐを、ｘｔｅｍｐ＝ｘ＋ｚ−１にて算出する（図３のステップＳ１１）。具体的には、ｘｔｅｍｐ＝０＋２−１＝１が算出される。次に、算出した終端表示座標ｘｔｅｍｐが画面分割のｘ軸方向のｍより小さいか（ｍを含む）否かを、ｘｔｅｍｐ≦ｍにて判定する（図３のステップＳ１２）。具体的には、１≦２が判断される。次に、大きいと判断された場合には、ウインドウを倍率ｚ、ここでは２倍のマイナス方向に拡大する場合の終端表示座標ｘｔｅｍｐを、ｘｔｅｍｐ＝ｘ−ｚ＋１にて算出する（図３のステップＳ１３）。次に、算出した終端表示座標ｘｔｅｍｐが画面分割０（ゼロ）より大きいか（０を含む）否かを、ｘｔｅｍｐ≧０にて判定する（図３のステップＳ１４）。次に、大きい（０を含む）と判断された場合には、表示座標ｘに終端表示座標ｘｔｅｍｐを置き換える。ここでは表示座標ｘは０のままとなる。また、ステップＳ１４にて超えていると判断された場合には、エラー処理となる（図３のステップＳ４１）。尚、このエラー処理は通常発生することはなく、イレギュラ的に発生するものである。
【００１２】
次に、ウインドウＤを倍率ｚ、ここでは２倍でプラス方向に拡大する場合の終端表示座標ｙｔｅｍｐを、ｙｔｅｍｐ＝ｙ＋ｚ−１にて算出する（図３のステップＳ２１）。具体的には、ｙｔｅｍｐ＝０＋２−１＝１が算出される。次に、算出した終端表示座標ｙｔｅｍｐが画面分割ｎより小さいか（ｎを含む）否かを、ｙｔｅｍｐ≦ｎにて判定する（図３のステップＳ２２）。具体的には、１≦２が判断される。次に、大きいと判断された場合には、ウインドウを倍率ｚ、ここでは２倍のマイナス方向に拡大する場合の終端表示座標ｙｔｅｍｐを、ｙｔｅｍｐ＝ｙ−ｚ＋１にて算出する（図３のステップＳ２３）。次に、算出した終端表示座標ｙｔｅｍｐが画面分割０（ゼロ）より大きいか（０を含む）否かを、ｙｔｅｍｐ≧０にて判定する（図３のステップＳ２４）。次に、大きい（０を含む）と判断された場合には、表示座標ｙに終端表示座標ｙｔｅｍｐを置き換える（図３のステップＳ２５）。ここでは表示座標ｙは０のままとなる。ここでは、警報信号ｄの場合について示したが、例えば、警報信号ｈが入力された場合には、表示座標（ｘ、ｙ）は表示座標（２、２）であるため、表示座標（２、２）から最終表示座標のｘｔｅｍｐ＝１、ｙｔｅｍｐ＝１である（１、１）に置き換えられることとなる。
【００１３】
次に、表示座標（ｘ、ｙ）（尚、ここで言う表示座標（ｘ、ｙ）とは、置き換えられている場合にはその置き換えられた表示座標を示すものである。）を倍率ｚにて画像番号ｐｉｃが上書き拡大表示される（図３のステップＳ３１、図１の画面５０ａの状態にて表示される）。具体的には、表示座標（０、０）を倍率２にて画像番号Ｄがウインドウ１、２、３、４にウインドウ１として拡大表示される。以上のように、制御手段２０が警報信号を受信した場合には、画像情報データベース３０に登録されている、画面分割（ｍ、ｎ）、倍率ｚ、警報番号ｓｉｇに対応する画像番号ｐｉｃの表示座標（ｘ、ｙ）とを取得し、警報番号ｓｉｇに対応する画像番号ｐｉｃの画像を倍率ｚで表示することができる。次に、２回目の警報信号を受信すると、先に拡大されたウインドウはそのまま表示された状態で放置され、新たに関連付けされたウインドウが拡大表示される。例えば、次に警報番号ｓｉｇによりウインドウ４が拡大表示されると図１の画面５０ｂの状態にて表示されることとなる。
【００１４】
上記のように構成された実施の形態１の監視表示システムは、警報信号に関連付けされた画像を自動的に所定の倍率で拡大表示するものであり、ユーザが何ら操作することなく瞬時に警報発生箇所の状態を目視することが可能となる。
【００１５】
実施の形態２．
図４はこの発明の実施の形態２における監視表示システムの構成を示す図、図５は図４に示した監視表示システムの動作を説明するためのフローチャートである。図において、上記実施の形態１と同様の部分は同一符号を付して説明を省略する。上記実施の形態１では、拡大表示が例えば図１の画面５０ｂのように、重なり有うように表示される。よって、さらにこれが繰り返されると、ユーザによるウインドウの視認性が極端に損なわれることになる。このことを解決するために本実施の形態２の監視表示システムを採用することが考えられる。
【００１６】
上記のように構成された実施の形態２における監視表示システムの動作について説明する。まず、図５におけるステップＳ５１およびステップＳ５２以外のステップは上記実施の形態１と同様であるためその説明を適宜省略し、異なる動作部分について以下に説明する。まず、警報が発生したと判断される（図５のステップＳ１）と、画面情報データベース３０に登録された表示データＤ３から各ウインドウ１〜９に対応する画像番号ｐｉｃを取得する（図５のステップＳ５１）。次に、各ウインドウ１〜９に対して関連付けされた画像番号ｐｉｃを表示する（図４のステップＳ５２）。そして、以下上記実施の形態１と同様に警報に対する表示を行う。このように動作すると、図４に示すように、まず、１回目の警報信号の受信により、上記実施の形態１と同様の動作が行われることにより、画面５０ａに示すように警報番号ｓｉｇに関連付けされたウインドウ１が拡大表示される。次に、２回目の警報信号を受信すると、先に拡大されたウインドウは初期状態に画面５０のように表示され、その後、画面５０ｂに示すように警報信号に関連付けされたウインドウ４が拡大表示される。
【００１７】
上記のように構成された実施の形態２の監視表示システムによれば、上記実施の形態１と同様の効果を奏するのはもちろんのこと、上記実施の形態１のように警報信号を受信する毎に拡大表示を重畳表示されることなく、最新の警報信号に関連付けされた画像のみ拡大表示されるため、ユーザの視認性を向上することができる。
【００１８】
実施の形態３．
上記実施の形態２においては、警報信号を受信した際に、画面を初期状態に再表示する例を示したが、この発明の実施の形態３においては異なる場合の例について説明する。図６はこの発明の実施の形態３における監視表示システムの構成を示す図、図７は図６に示した監視表示システムの画面情報データベースの内容を説明するための図、図８は図６に示した監視表示システムの動作を説明するためのフローチャートである。図において、上記各実施の形態と同様の部分は同一符号を付して説明を省略する。画面情報データベース３０には、画面リセット時間ｔのリセット時間データＤ１１の情報を備え、制御手段２０はこの画面リセット時間ｔに基づいて表示手段４０の画面５０を初期状態に再表示する。
【００１９】
上記のように構成された実施の形態３における監視表示システムの動作について説明する。まず、図８におけるステップＳ６１、ステップＳ６２およびステップＳ６３以外のステップは上記各実施の形態と同様であるためその説明を適宜省略し、異なる動作部分について以下に説明する。まず、警報番号ｓｉｇに対応する画像番号ｐｉｃのウインドウが拡大表示された（図８のステップＳ３１）後に、時刻ｔｔｅｍｐに拡大表示の時刻（例えばパーソンナルコンピュータでは、ある特定された時刻とは１９９７年からの差分時間にて示す。）を設定する（図８のステップＳ６１）。次に、警報が発生していないと判断される（図８のステップＳ１）と、画面情報データベース３０に登録されたリセット時間データＤ１１から画面リセット時間ｔを取得する（図８のステップＳ６２）。
【００２０】
次に、ステップＳ６１にて設定された”拡大表示の時刻＝ｔｔｅｍｐ”からの経過時間を”現時刻−ｔｔｅｍｐ”にて算出して、画面リセット時間ｔを超えていないか否かを判断する。次に、超えていない場合（画面リセット時間に達していない場合）には、ステップＳ１へ戻る。また、超えている場合（画面リセット時間に達している場合）には、ステップＳ５１へ進む。例えば、図６に示すように、警報信号の受信により、関連付けされたウインドウが拡大表示され画面５０ａの状態になる。次に、拡大表示されてからの時間が画面リセット時間ｔを経過すると、先に拡大されたウインドウは初期状態にクリアされ再表示され画面５０の状態になる。さらに、次に警報信号が入力されると例えば画面５０ｃのように表示される。
【００２１】
上記のように構成された実施の形態３の監視表示システムによれば、上記各実施の形態と同様の効果を奏するのはもちろんのこと、警報信号を受信してから画面リセット時間経過すればそれ以降、画面の表示が初期状態にリセットされるため、拡大表示されたウインドウにより隠れてしまっていたウインドウが表示されるようになり、ユーザの視認性を向上することができる。尚、上記実施の形態３においては、画面リセット時間ｔにて画面をリセットする例を示したが、上記実施の形態２および上記実施の形態３を組み合わせて、画面のリセットを警報信号の入力毎および画面リセット時間ｔの何れもにおいて行うことも可能であることは言うまでもない。
【００２２】
実施の形態４．
図９はこの発明の実施の形態４における監視表示システムの画面情報データベースの内容を説明するための図、図１０はこの発明の実施の形態４における監視表示システムの動作を説明するためのフローチャートである。図において、上記各実施の形態と同様の部分は同一符号を付して説明を省略する。画面情報データベース３０には表示データＤ３１に拡大表示を行っているか否かの拡大表示フラグｆの情報を備えたものである。拡大表示フラグに”１”が示されている時は、は拡大表示されていることを示し、”０”が示されている時は、拡大表示されていないことを示している。
【００２３】
上記のように構成された実施の形態４における監視表示システムの動作について説明する。まず、図１０におけるステップＳ７１ないしステップＳ８１以外のステップは上記各実施の形態と同様であるためその説明を適宜省略し、異なる動作部分について以下に説明する。まず、上記各実施の形態１と同様に拡大表示するための表示座標（ｘ、ｙ）が決定される。次に、変数ｘｔｅｍｐに決定された表示座標ｘを設定する（図１０のステップＳ７１）。次に、変数ｘｔｅｍｐが拡大表示したウインドウのｘ方向の終端座標範囲内にあるか否かを、ｘｔｅｍｐ≦ｘ＋ｚ−１にて判断する（図１０のステップＳ７２）。次に、範囲内と判断された場合（ＹＥＳの場合）には、変数ｙｔｅｍｐに決定された表示座標ｙを設定する（図１０のステップＳ７３）。次に、変数ｙｔｅｍｐが拡大表示したウインドウのｙ方向の終端座標範囲内にあるか否かをｙｔｅｍｐ≦ｙ＋ｚ−１にて判断する（図１０のステップＳ７４）。
【００２４】
次に、範囲外と判断されたの場合（ＹＥＳの場合）には、変数ｘｔｅｍｐをインクリメント（１加算）、ｘｔｅｍｐ＝ｘｔｅｍｐ＋１を行って（図１０のステップＳ７５）、再びステップＳ７２へ戻る。また範囲内と判断された場合には、ウインドウ（ｘｔｅｍｐ、ｙｔｅｍｐ）の拡大表示フラグｆがｆ＝１であるか否かを判断する（図１０のステップＳ７６）。次に、拡大表示フラグｆが１でない（０の）場合には、変数ｙｔｅｍｐをインクリメント（１加算）、ｙｔｅｍｐ＝ｙｔｅｍｐ＋１を行って（図１０のステップＳ７７）、再びステップＳ７４へ戻る。また、拡大表示フラグｆが１である場合には、上記各実施の形態と同様にステップＳ５１およびステップＳ５２を処理を行い画面は初期状態の表示に戻る。次に、拡大表示フラグｆを全てクリア（０に設定）にする（図１０のステップＳ７８）。
【００２５】
次に、変数ｘｔｅｍｐに決定された表示座標ｘを設定する（図１０のステップＳ８１）。次に、変数ｘｔｅｍｐが拡大表示したウインドウのｘ方向の終端座標範囲内にあるか否かを、ｘｔｅｍｐ≦ｘ＋ｚ−１にて判断する（図１０のステップＳ８４）。次に、範囲内であると判断された場合には、変数ｙｔｅｍｐに決定された表示座標ｙを設定する（図１０のステップＳ８３）。次に、変数ｙｔｅｍｐが拡大表示したウインドウのｙ方向の終端座標範囲内にあるか否かをｙｔｅｍｐ≦ｙ＋ｚ−１にて判断する（図１０のステップＳ８４）。次に、範囲外であると判断された場合には、変数ｘｔｅｍｐをインクリメント（１加算）、ｘｔｅｍｐ＝ｘｔｅｍｐ＋１を行って（図１０のステップＳ８５）、再びステップＳ８２へ戻る。次に、範囲内であると判断された場合には、ウインドウ（ｘｔｅｍｐ、ｙｔｅｍｐ）の拡大表示フラグｆに１を設定する（図１０のステップＳ８６）。
【００２６】
次に、変数ｙｔｅｍｐをインクリメント（１加算）、ｙｔｅｍｐ＝ｙｔｅｍｐ＋１を行って（図１０のステップＳ８７）、再びステップＳ８４へ戻る。上記各実施の形態と同様に、表示座標（ｘ、ｙ）を倍率ｚにて画像番号ｐｉｃが上書き拡大表示される（図１０のステップＳ３１）。上記に示したように、ステップＳ７１〜ステップＳ７７の動作を行うことにより、拡大表示を行おうとしているウインドウに拡大表示が実施されていない場合には拡大表示が実施されることとなり、拡大表示が実施されている場合には一端画面が初期状態に戻されて拡大表示が実施される。そして、ステップＳ８１〜ステップＳ８７の動作を行うことにより拡大表示を行ったウインドウに拡大表示フラグｆをたてる（１に設定）ことができる。
【００２７】
上記のように構成された実施の形態４の監視表示システムによれば、上記各実施の形態と同様の効果を奏するのはもちろんのこと、拡大表示する際に一端初期画面に戻すのではなく、拡大表示するウインドウにすでに拡大表示が実施されていない限り（すなわち、拡大表示が重ならない限り）は、画面上に複数の拡大表示を表示することができるようになり、ユーザの視認性が向上する。
【００２８】
実施の形態５．
図１１はこの発明の実施の形態５における監視表示システムの構成を示す図、図１２は図１１に示した監視表示システムの画面情報データベースの内容を説明するための図、図１３は図１１に示した監視表示システムの動作を説明するためのフローチャートである。図において、上記各実施の形態と同様の部分は同一符号を付して説明を省略する。画面情報データベース３０は、例えば、図１２に示すように構成されている。ウインドウの構成の一例として、警報信号を受信した後の拡大表示を行う際には９つのウインドウ１〜９をウインドウ１、２、４、５を１つとして利用し全部で６つに分割する設定を行っている表示データＤ２１と、各警報番号ｓｉｇに対応する画像番号ｐｉｃがそれぞれ設定されている警報データＤ２２と、優先順位ｐ毎に表示座標（ｘ、ｙ）および倍率ｚが設定されており、さらに、優先順位ｐ毎表示されている警報番号ｓｉｇおよび画像番号ｐｉｃが記録されている優先順位データＤ２３とを有する。尚、その設定値は、画面表示データＤ２１の分割数に対応している。また、ｐ＝６におけるｘ＝ｙ＝ｚ＝−１のデータは、優先順データＤ２３の最下位（終端、表示されない優先順位）を表す。このように設定されているため、表示手段４０は画面５０ｅのように表示されることとなる。
【００２９】
次に上記のように構成された実施の形態５における監視表示システムの動作について図１３に基づいて説明する。まず、監視表示システムが稼動すると、制御手段２０は警報が発生しているか（入力されるか）否かを判断する（図１３のステップＳ９１）。そして、警報が発生しないと判断されると、再び図１３のステップＳ９１に戻る。そして、警報が発生していると判断されると、次に制御手段２０は画面情報データベース３０の情報からその警報番号ｓｉｇに対応する画像番号ｐｉｃを取り込む（図１３のステップＳ９２）。具体的には、警報番号ｄが入力されたとすると、画像番号Ｄのデータが入力されることとなる。次に、優先順位ｐに０（ゼロ、最上位の値）を設定する（図１３のステップＳ９３）。次に、優先順位ｐにおける表示座標のｘ座標ｘ［ｐ］が−１であるかどうか判断する（図１３のステップＳ９４）。ここでは、優先順位データＤ２３から優先順位０のｘ座標は０であるため、−１でないと判断される。次に、優先順位ｐが０で有るか否かを判断する（図１３のステップＳ９５）。ここでは、優先順位ｐが０であると判断される。
【００３０】
次に、警報番号ｓｉｇ［ｐ］と画面番号ｐｉｃ［ｐ］とのデータをそれぞれｓｉｇｐｒｅｖとｐｉｃｐｒｅｖとに一端退避させる（図１３のステップＳ９６）。但し、最初に何も表示されている段階においては退避されるデータが存在しない。次に、ｓｉｇ［ｐ］とｐｉｃ［ｐ］とに検出された警報番号ｓｉｇおよびこの警報番号ｓｉｇに対応する画像番号ｐｉｃをそれぞれ設定する（図１３のステップＳ９７）。ここでは図１２に示すように、警報番号ｓｉｇにはｄが、画像番号ｐｉｃにはＤがそれぞれ設定されることとなる。次に、優先順位データＤ２３に基づいて、警報番号ｓｉｇに対応する画像番号ｐｉｃがウインドウに倍率ｚにて表示される（図１３のステップＳ１０１）。ここでは、表示座標（０、０）から２倍の倍率にて画像番号Ｄが表示されることとなる。次に、優先順位ｐの警報番号ｓｉｇ［ｐ］と画像番号ｐｉｃ［ｐ］とを優先順位ｐ＋１にインクリメントして（下位にずらす）移動する（図１３のステップＳ１０２）。ここでは、優先順位（０＋１）＝優先順位１に移動する。次に、上記に示した場合と同様に再びステップＳ９４およびステップＳ９５の判断を行う。ここでは、ｐ＝１でありｐ＝０ではないと判断される。
【００３１】
次に、ｓｉｇｐｒｅｖおよびｐｉｃｐｒｅｖに退避されているデータを、それぞれｓｉｇｆｏｒおよびｐｉｃｆｏｒに移動する（図１３のステップＳ９８）。次に、優先順位データＤ２３の優先順位ｐに設定されている警報番号ｓｉｇ［ｐ］と画像番号ｐｉｃ［ｐ］とのデータをｓｉｇｐｒｅｖおよびｐｉｃｐｒｅｖに退避する（図１３のステップＳ９９）。次に、ｓｉｇｆｏｒおよびｐｉｃｆｏｒに移動していたデータを警報番号ｓｉｇ［ｐ］および画像番号ｐｉｃ［ｐ］のデータとして設定する（図１３のステップＳ１００）。次に、再びステップＳ１０１の移動して上記に示した場合と同様の動作を繰り返す。この動作を繰り返すことにより、先に表示されていた画像番号（画像情報）は優先順位を下位にずらして表示されることとなる。そして、優先順位ｐが６にまで達すると、ステップＳ９４においてＹＥＳとなり再びステップＳ９１に戻る。
【００３２】
上記のように構成された実施の形態５の監視表示システムによれば、警報発生に従って表示するウインドウの優先順位を指定して自由に変更することができ、ユーザの希望する視認性に優れたウインドウ構成を実現することができる。
尚、上記実施の形態５は、特に示していないが、例えば、画面情報データベースに、表示手段の分割されたウインドウ毎に複数種の画像情報の何れをウインドウに表示するかの情報を備えるようにすれば、制御手段により、上記各実施の形態と同様に複数種の画像情報を表示手段の所定ウインドウに表示することが可能である。また、このような情報を備えている場合、上記実施の形態３のように画面情報データベースに、画面リセット時間ｔの情報を備えるようにし、同様に実施することも可能であり、上記実施の形態３と同様の効果を奏することは言うまでもない。
【図面の簡単な説明】
【００３３】
【図１】この発明の実施の形態１における監視表示システムの構成を示す図である。
【図２】図１に示した監視表示システムの画面情報データベースの内容を説明するための図である。
【図３】図１に示した監視表示システムの動作を説明するためのフローチャートである。
【図４】この発明の実施の形態２における監視表示システムの構成を示す図である。
【図５】図４に示した監視表示システムの動作を説明するためのフローチャートである。
【図６】この発明の実施の形態３における監視表示システムの構成を示す図である。
【図７】図６に示した監視表示システムの画面情報データベースの内容を説明するための図である。
【図８】図６に示した監視表示システムの動作を説明するためのフローチャートである。
【図９】この発明の実施の形態４における監視表示システムの画面情報データベースの内容を説明するための図である。
【図１０】この発明の実施の形態４における監視表示システムの動作を説明するためのフローチャートである。
【図１１】この発明の実施の形態５における監視表示システムの構成を示す図である。
【図１２】図１１に示した監視表示システムの画面情報データベースの内容を説明するための図である。
【図１３】図１１に示した監視表示システムの動作を説明するためのフローチャートである。
【符号の説明】
【００３４】
１，２，３，４，５，６，７，８，９  ウインドウ、２０  制御手段、
３０  画面情報データベース、４０  表示手段、
５０，５０ａ，５０ｂ，５０ｃ，５０ｄ，５０ｅ  画面。
【図１】
0004680126.tif 000002
【図２】
0004680126.tif 000003
【図３】
0004680126.tif 000004
【図４】
0004680126.tif 000005
【図５】
0004680126.tif 000006
【図６】
0004680126.tif 000007
【図７】
0004680126.tif 000008
【図８】
0004680126.tif 000009
【図９】
0004680126.tif 000010
【図１０】
0004680126.tif 000011
【図１１】
0004680126.tif 000012
【図１２】
0004680126.tif 000013
【図１３】
0004680126.tif 000014